(57)【要約】【課題】本発明は、全体構造が比較的に小さく、かつ安全で有効に駆動功能を実現する駆動装置を有するソケットを提供することを目的とする。【解決手段】本発明のソケットはベース及び該ベースに取付けられるカバーを含み、該カバーはベースに対して開放位置と閉鎖位置との間で摺動することができ、前記ベースには導電端子を収容する複数列の端子収容孔を有し、ベースの一端部にはグルーブが設けられ、カバーにベースのグルーブに対応する所に貫通溝が設けられ、該貫通溝に隣接する所に金属材料からなる凸部が突出して取付けられる。【選択図】　　図４
2004022535.tif 000002
【特許請求の範囲】
【請求項１】
各端縁に複数の端子収容孔が開設され、端子収容孔を設けない一端部にはグルーブが設けられるベースと、
それぞれ前記ベースの端子収容孔内に収容される導電端子と、
該カバーはベースに摺動可能に取付けられ、かつ開放位置と閉鎖位置との間で摺動することができ、ベースに取付けられた後、少なくともグルーブの一部を露出させ、かつ該グルーブに隣接した所には凸部が設けられ、駆動工具をグルーブ内に挿入させ、かつ該凸部上に当接し、開放位置から閉鎖位置へ摺動させるカバーと、
を備えたことを特徴とするソケット。
【請求項２】
前記凸部は、金属材料からなり、カバーにインサート成形された基部及び該基部から突出される当接停止部を含んでいることを特徴とする請求項１記載のソケット。
【請求項３】
前記カバーにはベースのグルーブに対応する所にカバーを貫通する貫通溝が設けられていることを特徴とする請求項１記載のソケット。
【請求項４】
前記ベースのグルーブの一側壁は、傾斜面であって、カバーの貫通溝は該グルーブの傾斜面に対応する側壁も傾斜面であることを特徴とする請求項３記載のソケット。
【請求項５】
前記カバーは、ベースに対して開放位置と閉鎖位置との間で摺動し、閉鎖位置にある場合に、カバーの貫通溝とベースのグルーブは垂直方向に概略整列され、開放位置にある場合に、カバーの貫通溝とベースのグルーブは水平方向にずらされていることを特徴とする請求項４記載のソケット。
【請求項６】
前記カバーはベースに取付けた後、その外縁部がグルーブを越えないことを特徴とする請求項１記載のソケット。
【発明の詳細な説明】
【０００１】
【発明の属する技術分野】
本発明は、中央処理チップモジュール（ＣＰＵ）とプリント回路基板（ＰＣＢ）とを電気的に接続するために用いられるゼロ挿入力ソケットを提供するものである。
【０００２】
【従来の技術】
ゼロ挿入力ソケットはコンピューター産業に応用され、中央処理チップモジュールをプリント回路基板（ＰＣＢ）に電気的に接続させ、二者の間のデータ及び信号の交流を達成するために用いられる。該コネクタは通常回路基板の表面に固着されるベースと、該ベースに摺動可能に取付けられるカバーと、該カバーを駆動し、ベースに対して摺動させる駆動装置と、を含む。該駆動装置はまずカバーを開放位置に駆動し、中央処理チップモジュールはゼロ挿入力で電気コネクタに取付けられ、それからカバーを閉鎖位置に駆動し、この時中央処理チップモジュールと回路基板とを電気的に接続することを達成することになる。
【０００３】
従来の技術はかつて前記ゼロ挿入力コネクタに用いられてきた多種の駆動装置を提示し、例えば、特許文献１及び特許文献２はいずれも一種の回転できる駆動レバーを介してカバーを駆動する設計を提示し、図１に示すように、該駆動レバー６０は、コネクタ６の一側部に設けられる操作部と、ベースとカバーとの間に設けられる軸部とを含み、該操作部は直立位置に回転する際に、中央処理チップモジュール４はゼロ挿入力で電気コネクタ６に取付けられ、該操作部は水平位置に回転する際に、中央処理チップモジュール４と回路基板（図示せず）とを電気的に接続することを達成することになる。該駆動装置は操作が便利だが、コネクタ６上に駆動レバー６０を取付けるための余分の空間を残すことが必要であり、コネクタ６の体積が増加され、かつ該駆動レバー６０の回転操作は比較的大きな立体空間が必要であって、従って該コネクタ６は厚さが比較的小さなノートブックに応用されにくい。
【０００４】
従来の技術はその他の駆動装置の発明を提示する（例えば、特許文献３乃至特許文献５参照）。図２及び図３に示すように、コネクタ７のベース７０にはグルーブ７００が設けられ、カバー７２には該グルーブ７００に対応する所に貫通溝７２０が設けられ、独立する操作具５は該貫通溝７２０を通って該グルーブ７００に挿入することができ、かつ該操作具５を回転することによって、カバー７２をベース７０に対して摺動させ、該設計はコネクタ７の体積を低減することができ、かつ空間を節約することができ、しかし、操作具５はカバー７２を駆動する際に、カバー７２の側縁に直接的に当接し押圧し、カバー７２はプラスチックのような絶縁材料からなることによって、カバー７２は操作具５の押圧のもとに塑性変形ひいては破裂を生じやすく、かつカバー７２の厚さは通常比較的薄いことによって、操作する際に、操作具５はカバー７２に取付けられる中央処理チップモジュール４に当接しやすく、かつそれに対して損害をもたらすことになる。
【０００５】
前記の欠陥を克服するために、一種の新型のソケットを設計することが必要であると考えるものである。
【０００６】
【特許文献１】
中国実用新案登録第ＺＬ９５２２３３６０．６号公報
【特許文献２】
中国実用新案登録第ＺＬ０１２２１１５８．３号公報
【特許文献３】
中国実用新案登録第ＺＬ９９２２６５３８．Ｘ号公報
【特許文献４】
米国特許第５３７０６１５号明細書
【特許文献５】
米国特許第６０５９５９６号明細書
【０００７】
【発明が解決しようとする課題】
本発明は、全体構造が比較的小さく、かつ安全で有効に駆動功能を実現する駆動装置を有するソケットを提供することを目的とする。
【０００８】
【課題を解決するための手段】
前記発明の課題を解決するために、本発明のソケットはベース及び該ベースに取付けられるカバーを含み、該カバーはベースに対して開放位置と閉鎖位置との間で摺動することができ、前記ベースには導電端子を収容する複数列の端子収容孔を有し、ベースの一端部にはグルーブが設けられ、カバーにベースのグルーブに対応する所に貫通溝が設けられ、該貫通溝に隣接する所に金属材料からなる凸部が突出して取付けられ、前記カバーは開放位置にある場合に、貫通溝とグルーブは水平方向にずらされ、中央処理チップモジュールがカバーに取付けられる。駆動工具を該貫通溝及びグルーブに挿入し、かつ駆動工具を回転させ、駆動工具を金属材料からなる凸部に当接させ、かつカバーを開放位置から閉鎖位置に駆動し、中央処理チップモジュールは電気的な導通功能を実現することになる。
【０００９】
【発明の実施の形態】
図４及び図５を併せて参照すると、本発明のソケット１はベース１０と、カバー２０と、複数の導電端子３０とを含む。該ベース１０及びカバー２０は絶縁材料からなり、ベース１０には当該導電端子３０を収容するための端子収容孔１２がそれぞれ設けられ、該カバー２０が前記ベース１０に対して摺動可能に取付けられ、即ち該ベース１０に対して開放位置と閉鎖位置との間で摺動することができ、該カバーは開放位置にある場合に、中央処理チップモジュール４はゼロ挿入力でカバー２０に取付けられ、閉鎖位置にある場合に、中央処理チップモジュール４と導電端子３０とを電気的に接続することになる。前記ベース１０の対向する２つの側壁に複数のリブ１３及び位置決め部１４が突設され、かつ前記カバー１０に設けられる切欠口に対応して係合することによって、該ベース１０とカバー２０とを接続させる。
【００１０】
図６及び図７を併せて参照すると、前記ベース１０の前記端子収容孔１２を設けていない一端部には長手方向に延伸される細長いグルーブ１６が凹設され、該グルーブ１６の一側壁の一部が傾斜する斜面１６０に加工され、前記カバー２０の一端部に該ベース１０のグルーブ１６に対応する所には貫通溝２２が開設され、該貫通溝２２の寸法はグルーブ１６の寸法と概略同じで、貫通溝２２の対向する２つの側壁の一部はそれぞれ傾斜面２２０、２２２に加工され、かつ両傾斜面２２０、２２２は概略平行している。前記カバー１０は開放位置にある場合に、前記貫通溝２２とグルーブ１６とはそれぞれ水平方向にずらされ、前記斜面１６０と斜面２２０はその傾斜方向に同一平面に位置する。前記カバー２０は閉鎖位置にある場合に、貫通溝２２とグルーブ１６は垂直方向に概略整列されることになる。
【００１１】
前記カバー２０の貫通溝２２に隣接する上表面には凸部２４が突出して取付けられ、該凸部２４は該カバー２０とは異なった金属材料からなり、かつカバー２０内にインサート成形される基部２４０及びカバー２０の表面から突出される当接停止部２４２を含み、該当接停止部２４２の高さが中央処理チップモジュール４の厚さと概略等しく形成される。
【００１２】
図６及び図８を参照すると、図６に示すカバー２０及びベース１０は開放位置にあり、操作具５は補助駆動工具として貫通溝２２の斜面２２０及びグルーブ１６の斜面１６０に沿って該貫通溝２２とグルーブ１６内に傾斜して挿入され、かつ斜面２２２に当接している。図８に示すカバー２０及びベース１０は閉鎖位置にあり、操作具５は既に概略垂直方向に回転している。該回転する過程中に、操作具５は凸部２４に当接されることによって、開放位置から閉鎖位置へ摺動させるように、カバー２０を駆動するとともに、凸部２４は操作具５が中央処理チップモジュール４に直接的に当接されることを防止することができ、中央処理チップモジュール４は損害を受けることを回避することができる。
【００１３】
しかし、本発明のカバー２０の貫通溝２２は必要な部材ではなく、別の構造を介してもその功能を実現することができる。図９に示すのは本発明の他の実施の形態の断面図であって、ベース１０’にグルーブ１６’が設けられ、カバー２０’の外縁部はグルーブ１６’を越えず、グルーブ１６’を露出させ、補助駆動工具５をグルーブ１６’に挿入し、かつベース１０’に対して摺動させるように、カバー２０’を駆動するので、この設計も本発明の課題を解決することができる。
【００１４】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属する。
【図面の簡単な説明】
【図１】従来のソケットの斜視図である。
【図２】従来のその他のソケットの斜視図である。
【図３】図２のＩＩＩ−ＩＩＩ線方向の断面図である。
【図４】本発明のソケットの斜視図である。
【図５】図４に示すソケットの分解斜視図である。
【図６】図４のＶＩ−ＶＩ線方向の断面図である。
【図７】図６の要部ＶＩＩの拡大図である。
【図８】図４に示すソケットが閉鎖位置にあった状態の断面図である。
【図９】本発明のソケットのその他の実施の形態の断面図である。
【符号の説明】
１　ソケット
４　中央処理チップモジュール
５　操作具
１０、１０’　ベース
１２　端子収容孔
１３　リブ
１４　位置決め部
１６　グルーブ
２０、２０’　カバー
２２　貫通溝
２４、２４’　凸部
３０　端子
１６０、２２０、２２２　斜面
２４０　基部
２４２　当接停止部
【図１】
2004022535.tif 000003
【図２】
2004022535.tif 000004
【図３】
2004022535.tif 000005
【図４】
2004022535.tif 000006
【図５】
2004022535.tif 000007
【図６】
2004022535.tif 000008
【図７】
2004022535.tif 000009
【図８】
2004022535.tif 000010
【図９】
2004022535.tif 000011